(57)【要約】【課題】着用者の歩行を効果的にサポートすることができる下肢用衣類を提供する。【解決手段】下肢用衣類１０は、腹部の少なくとも一部を覆う基礎部２０と、基礎部２０よりも緊締力の強い腹横筋サポート部３０とを備え、腹横筋サポート部３０は、仙骨１０２と対応する仙骨部分３０Ｚ、腰部の側面と対応する側面部分３０Ｙ、および、恥骨１０１と対応する恥骨部分３０Ｘを通過し、恥骨部分３０Ｘの緊締力は、側面部分３０Ｙの緊締力よりも強い。【選択図】図９
2017222946.tif 000002
【特許請求の範囲】
【請求項１】
腹部の少なくとも一部を覆う基礎部と、
前記基礎部よりも緊締力の強い腹横筋サポート部とを備え、
前記腹横筋サポート部は、仙骨と対応する仙骨部分、腰部の側面と対応する側面部分、および、恥骨と対応する恥骨部分を通過し、
前記恥骨部分の緊締力は、前記側面部分の緊締力よりも強い
下肢用衣類。
【請求項２】
前記仙骨部分の緊締力は、前記側面部分の緊締力よりも強い
請求項１に記載の下肢用衣類。
【請求項３】
前記恥骨部分の緊締力は、前記仙骨部分の緊締力よりも弱い
請求項２に記載の下肢用衣類。
【請求項４】
大転子と対応する大転子部分をさらに備え、
前記大転子部分の緊締力は、前記腹横筋サポート部の前記側面部分の緊締力よりも弱い
請求項１〜３のいずれか一項に記載の下肢用衣類。
【請求項５】
前記基礎部よりも緊締力の強い大臀筋サポート部を備え、
前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過する
請求項１〜４のいずれか一項に記載の下肢用衣類。
【請求項６】
前記大臀筋サポート部は、前記大腿前面部分から大腿の内側面のうちの前記大腿前面部分よりも上方と対応する大腿内側面部分を通過する
請求項５に記載の下肢用衣類。
【請求項７】
前記基礎部よりも緊締力の強い膝関節サポート部をさらに備え、
前記膝関節サポート部は、膝蓋骨の外周を囲う
請求項１〜６のいずれか一項に記載の下肢用衣類。
【請求項８】
前記基礎部よりも緊締力の強い脹脛サポート部をさらに備え、
前記脹脛サポート部は、下腿の外側面と対応する下腿外側面部分、下腿の背面と対応する下腿背面部分、および、下腿の内側面と対応する下腿内側面部分を通過する
請求項１〜７のいずれか一項に記載の下肢用衣類。
【請求項９】
前記大腿前面部分の緊締力および前記下腿背面部分の緊締力は、前記下腿外側面部分の緊締力および前記下腿内側面部分の緊締力よりも強い
請求項５を直接的または間接的に引用する請求項８に記載の下肢用衣類。
【発明の詳細な説明】
【技術分野】
【０００１】
本発明は、下肢用衣類に関する。
【背景技術】
【０００２】
従来より、着用者の筋肉の動きをサポートする下肢用衣類が知られている。例えば特許文献１の下肢用衣類は、歩行に関わる筋肉としての大腿の筋肉の働きを強緊締力部によってサポートすることによって着用者の歩行の負荷を軽減する。
【先行技術文献】
【特許文献】
【０００３】
【特許文献１】特開２０１３−１４７７５９号公報
【発明の概要】
【発明が解決しようとする課題】
【０００４】
上記下肢用衣類の強緊締力部は、大腿の筋肉の働きをサポートする。他方、人体は様々な部位の筋肉が協働することによって動いている。歩行のとき大腿の筋肉に加えて大腿の筋肉以外の筋肉も働いているため、下肢用衣類には改善の余地がある。
本発明の目的は、着用者の歩行を効果的にサポートすることができる下肢用衣類を提供することである。
【課題を解決するための手段】
【０００５】
（１）本発明に従う下肢用衣類の一形態は、腹部の少なくとも一部を覆う基礎部と、前記基礎部よりも緊締力の強い腹横筋サポート部とを備え、前記腹横筋サポート部は、仙骨と対応する仙骨部分、腰部の側面と対応する側面部分、および、恥骨と対応する恥骨部分を通過し、前記恥骨部分の緊締力は、前記側面部分の緊締力よりも強い。
【０００６】
歩行に関わる筋肉には腹横筋が含まれる。腹横筋は歩行時に骨盤傾斜を中間位に整えて骨盤を安定させることによって、足運びがスムーズになるようにサポートする。上記下肢用衣類によれば、腹横筋サポート部の恥骨部分が着用者の骨盤の下部を後方に押し、仙骨部分が着用者の骨盤の上部を前方に押す。このため、骨盤傾斜を中間位に整えて骨盤を安定させる腹横筋の働きがサポートされる。このため、着用者の歩行を効果的にサポートすることができる。
【０００７】
（２）前記下肢用衣類の一例では、前記仙骨部分の緊締力は、前記側面部分の緊締力よりも強い。
上記下肢用衣類によれば、仙骨部分の緊締力が側面部分の緊締力よりも強いため、着用者の骨盤をより適切に安定させることができる。
【０００８】
（３）前記下肢用衣類の一例では、前記恥骨部分の緊締力は、前記仙骨部分の緊締力よりも弱い。
上記下肢用衣類によれば、恥骨部分の緊締力が仙骨部分の緊締力よりも弱いため、着用者の骨盤をより適切に安定させることができる。
【０００９】
（４）前記下肢用衣類の一例では、大転子と対応する大転子部分をさらに備え、前記大転子部分の緊締力は、前記腹横筋サポート部の前記側面部分の緊締力よりも弱い。
上記下肢用衣類によれば、大転子部分の緊締力が弱いため、骨が突出している大転子部分への圧迫が抑制される。
【００１０】
（５）前記下肢用衣類の一例では、前記基礎部よりも緊締力の強い大臀筋サポート部をさらに備え、前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過する。
【００１１】
歩行の立脚中期に、大臀筋は立脚側の下肢を支持して安定させる。上記下肢用衣類によれば、歩行の立脚中期に大臀筋部分、大腿外側面部分、および、大腿前面部分によって立脚側の下肢が支持されるため、大臀筋の働きがサポートされる。また、歩行の蹴り出し期に、大臀筋は立脚側の股関節を伸展させて地面を蹴らせる。上記下肢用衣類によれば、歩行の蹴り出し期に、大臀筋部分、大腿外側面部分、および、大腿前面部分によって立脚側の股関節が伸展されるため、大臀筋の働きがサポートされる。このため、着用者の歩行をより効果的にサポートすることができる。
【００１２】
（６）前記下肢用衣類の一例では、前記大臀筋サポート部は、前記大腿前面部分から大腿の内側面のうちの前記大腿前面部分よりも上方と対応する大腿内側面部分を通過する。
上記下肢用衣類によれば、大腿前面部分および大腿内側面部分によって、股関節が外転および外旋する力が抑制されるため、正しい運動方向で大臀筋の働きをサポートすることができる。
【００１３】
（７）前記下肢用衣類の一例では、前記基礎部よりも緊締力の強い膝関節サポート部をさらに備え、前記膝関節サポート部は、膝蓋骨の外周を囲う。
上記下肢用衣類によれば、膝関節サポート部によって膝関節が支えられることによって膝関節が安定する。このため、膝の屈曲および伸展を着用者が行いやすくなる、着用者の歩行をより効果的にサポートすることができる。
【００１４】
（８）前記下肢用衣類の一例では、前記基礎部よりも緊締力の強い脹脛サポート部を備え、前記脹脛サポート部は、下腿の外側面と対応する下腿外側面部分、下腿の背面と対応する下腿背面部分、および、下腿の内側面と対応する下腿内側面部分を通過する。
【００１５】
上記下肢用衣類によれば、脹脛サポート部によって膝関節を支える腓腹筋の働きがサポートされるため、膝関節を安定させることができる。このため、着用者の歩行をより効果的にサポートすることができる。
【００１６】
（９）前記下肢用衣類の一例では、前記大腿前面部分の緊締力および前記下腿背面部分の緊締力は、前記下腿外側面部分の緊締力および前記下腿内側面部分の緊締力よりも強い。
【００１７】
上記下肢用衣類によれば、大腿前面部分が大腿の前面を後方に押し、下腿背面部分が下腿を前方に押すことによって膝関節が前方上部および後方下部から支持される。これによって、膝関節が安定する。このため、着用者の歩行をより効果的にサポートすることができる。
【発明の効果】
【００１８】
本発明の下肢用衣類は、着用者の歩行を効果的にサポートすることができる。
【図面の簡単な説明】
【００１９】
【図１】実施形態の下肢用衣類の前方側の斜視図。
【図２】図１の下肢用衣類の後方側の斜視図。
【図３】図１の下肢用衣類の裏側の正面図。
【図４】図１の下肢用衣類の裏側の背面図。
【図５】図１の下肢用衣類の腹横筋サポート部の正面側の分解斜視図。
【図６】図１の下肢用衣類の腹横筋サポート部の背面側の分解斜視図。
【図７】図１の下肢用衣類と人体正面との関係を示す模式図。
【図８】図１の下肢用衣類と人体背面との関係を示す模式図。
【図９】図１の下肢用衣類と人体側面との関係を示す模式図。
【発明を実施するための形態】
【００２０】
（実施形態）
図１〜図９を参照して、下肢用衣類１０の構成について説明する。なお、図３〜図６は、下肢用衣類１０を裏返した状態を示しているため、図１、図２、および、図７〜図９と図面上における左右が逆転している。
【００２１】
図１および図２に示されるとおり、下肢用衣類１０は、人体の腰部、腹部、臀部、大腿、および、下腿を覆う形状を有する。下肢用衣類１０は、ウエスト１１、クロッチ１２、テープ部１３、基礎部２０、腹横筋サポート部３０、大臀筋サポート部４０、膝関節サポート部５０、および、脹脛サポート部６０を備える。
【００２２】
基礎部２０は、弱緊締力生地によって形成される。基礎部２０は、着用者の腰部、腹部、臀部、大腿、および、下腿を覆う形状を有する。ウエスト１１は、基礎部２０の上端に設けられる。ウエスト１１は、着用者のウエストまわりに配置可能である。ウエスト１１は、例えば基礎部２０の弱緊締力生地が折り曲げられて形成される。クロッチ１２は、基礎部２０において股と対応する部分に設けられる。テープ部１３は、臀裂と対応する部分に臀裂に沿うように設けられる。テープ部１３は、下肢用衣類１０の着用者の身体に対するフィット性を高め、動作時のずれを抑制する。なお、テープ部１３は省略することもできる。
【００２３】
基礎部２０は、腹部領域２１、大腿領域２２、背面領域２３、膝領域２４、および、下腿領域２５を備える。腹部領域２１、大腿領域２２、背面領域２３、膝領域２４、および、下腿領域２５は、基礎部２０の弱緊締力生地のみによって構成される。
【００２４】
腹部領域２１は、前身頃においてウエスト１１の下側かつ恥骨１０１（図７参照）と対応する部分よりも上側を覆う。腹部領域２１の下縁は前面の中央が最も下方に位置するＶ字形状を有する。腹部領域２１は腹部の少なくとも一部である臍部と対応する。腹部領域２１は、臍と対応する臍部分２１Ｘを含む。なお、臍部は、上胃部よりも下方かつ恥骨部よりも上方の部分を示す。
【００２５】
大腿領域２２は、着用者の右半身および左半身のそれぞれにおいて側面かつ鼠径部、および、大腿の前面の上方を覆う。大腿領域２２は、側面において大転子１０３（図７参照）と対応する大転子部分２２Ｘを含む。
【００２６】
背面領域２３は、着用者の右半身および左半身のそれぞれにおいて臀部と対応する部分、大腿の背面と対応する部分、大腿の前面の下方と対応する部分、および、膝部の背面と対応する部分を覆う。
【００２７】
膝領域２４は、着用者の右半身および左半身のそれぞれにおいて膝部の前面を覆う。膝領域２４は、膝蓋骨１０４（図９参照）と対応する膝蓋骨部分２４Ｘを含む。膝領域２４は膝蓋骨１０４よりも大きい。
【００２８】
下腿領域２５は、着用者の右半身および左半身のそれぞれにおいて下腿の前面と対応する部分、および、下腿の背面と対応する部分を覆う。下腿領域２５の下端は下肢用衣類１０の裾を構成する。
【００２９】
腹横筋サポート部３０、大臀筋サポート部４０、および、膝関節サポート部５０は、基礎部２０に設けられる。具体的には、腹横筋サポート部３０、大臀筋サポート部４０、および、膝関節サポート部５０は、基礎部２０を形成する弱緊締力生地にこの弱緊締力生地とは別体の弱緊締力生地または強緊締力生地が重ねられることによって構成される。
【００３０】
腹横筋サポート部３０は、着用者に身に着けられた状態で着用者の腰部および腹部を一周する。腹横筋サポート部３０は、１つの骨盤前面下部領域３０Ａ、２つの骨盤側面領域３０Ｂ、および、１つの骨盤背面上部領域３０Ｃを備える。骨盤前面下部領域３０Ａは、恥骨１０１（図７参照）と対応する恥骨部分３０Ｘを含む。骨盤側面領域３０Ｂは、側面において腸骨と対応する側面部分３０Ｙを含む。骨盤背面上部領域３０Ｃは、仙骨１０２（図８参照）と対応する仙骨部分３０Ｚを含む。
【００３１】
図３および図４に示されるとおり、骨盤側面領域３０Ｂおよび骨盤前面下部領域３０Ａは、腹部領域２１の下縁に連続する。骨盤背面上部領域３０Ｃは、ウエスト１１の下縁に連続する。骨盤前面下部領域３０Ａは、下端が欠けた菱形形状を有する。骨盤前面下部領域３０Ａは、恥骨１０１（図７参照）の少なくとも一部および恥骨結合の全体を覆うように構成される。骨盤背面上部領域３０Ｃは、略菱形形状の下部領域３０Ｄ、下部領域３０Ｄの外側端部と連続する端部領域３０Ｅ、および、下部領域３０Ｄの上端部と連続する上部領域３０Ｆを備える。仙骨部分３０Ｚは、下部領域３０Ｄに含まれる。下部領域３０Ｄは、仙骨１０２（図８参照）の少なくとも一部を覆うように構成される。下部領域３０Ｄは、仙骨１０２の上方部分を覆うことが好ましい。下部領域３０Ｄの高さ方向の中央部は、骨盤前面下部領域３０Ａの高さ方向の中央部よりも上方に位置する。骨盤側面領域３０Ｂは、帯形状を有する。骨盤側面領域３０Ｂの幅は略一定である。骨盤側面領域３０Ｂは、腰部の側面において腸骨稜の一部を覆う。骨盤側面領域３０Ｂは、骨盤前面下部領域３０Ａと骨盤背面上部領域３０Ｃとを接続する。骨盤側面領域３０Ｂは、骨盤前面下部領域３０Ａから骨盤背面上部領域３０Ｃに向かうにつれて下方から上方に向かって傾斜する。すなわち、骨盤前面下部領域３０Ａおよび骨盤側面領域３０Ｂは、下肢用衣類１０の前面においてＶ字形状を有する。
【００３２】
腹横筋サポート部３０は、恥骨部分３０Ｘ、側面部分３０Ｙ、および、仙骨部分３０Ｚをこの順に通過する。図７に示すように腹横筋２０１は、人体の側面において前中心から後中心に向かって水平方向に延びる。このため、下肢用衣類１０が着用者に身につけられた状態において、腹横筋サポート部３０は、腹横筋２０１に対して傾斜する。腹横筋サポート部３０の前面における傾斜方向は、鼠径部に沿う。
【００３３】
図５および図６に示されるとおり、腹横筋サポート部３０は、基礎部２０の裏側に右前生地３１、左前生地３２、右後生地３３、左後生地３４、および、後生地３５が取り付けられることによって構成される。右前生地３１、左前生地３２、右後生地３３、および、左後生地３４は、強緊締力生地である。右前生地３１、左前生地３２、右後生地３３、および、左後生地３４は、例えば基礎部２０に接着可能なパワーコントロール生地である。後生地３５は、弱緊締力生地である。右前生地３１、左前生地３２、右後生地３３、および、左後生地３４の緊締力は、基礎部２０の緊締力よりも強い。後生地３５の緊締力は、基礎部２０の緊締力と実質的に等しい。
【００３４】
右前生地３１および左前生地３２は、帯形状を有する。右前生地３１は右腸骨と対応する部分から恥骨１０１（図７参照）と対応する部分にわたって配置される。左前生地３２は、左腸骨と対応する部分から恥骨１０１（図７参照）に対応する部分にわたって配置される。右前生地３１の下端部３１Ｂおよび左前生地３２の下端部３２Ｂは、恥骨１０１（図７参照）と対応する部分において重ねられて基礎部２０の弱緊締力生地とともに骨盤前面下部領域３０Ａ（図３参照）を形成する。右前生地３１の下端部３１Ｂよりも上方の部分および左前生地３２の下端部３２Ｂよりも上方の部分は、基礎部２０の弱緊締力生地とともに骨盤側面領域３０Ｂ（図３参照）を形成する。
【００３５】
図６に示されるとおり、下肢用衣類１０は背面において基礎部２０の裏面に近い順に右後生地３３、後生地３５、および、左後生地３４が配置される。右後生地３３は、基礎部２０の裏面に接着される。後生地３５は外周を基礎部２０に縫い合わせられる。左後生地３４は、後生地３５に接着される。右後生地３３および基礎部２０と左後生地３４および後生地３５とは、互いに接着されていないため、独立して伸縮することができる。
【００３６】
右後生地３３は、長手方向を含む形状を有する。右後生地３３は、臀部の背面において右側面から後中心に向かうにつれて上方から下方に傾斜して配置される。右後生地３３の上端部３３Ａは、右前生地３１の上端部３１Ａと接続される。右後生地３３の下端部３３Ｂは、先端に向かうにつれて細くなる。
【００３７】
左後生地３４は、長手方向を含む形状を有する。左後生地３４は、臀部の背面において左側面から後中心に向かうにつれて上方から下方に傾斜して配置される。左後生地３４の上端部３４Ａは、左前生地３２の上端部３２Ａと接続される。左後生地３４の下端部３４Ｂは、先端に向かうにつれて細くなる。
【００３８】
後生地３５は、五角形形状を有する。後生地３５は、下端部３５ＢがＶ字形状を有する。後生地３５は、上端部３５Ａがウエスト１１に接続される。後生地３５の下肢用衣類１０の幅方向の右端部３５Ｃは、右前生地３１の上端部３１Ａおよび右後生地３３の上端部３３Ａと接続される。後生地３５の下肢用衣類１０の幅方向の左端部３５Ｄは、左前生地３２の上端部３２Ａおよび左後生地３４の上端部３４Ａと接続される。
【００３９】
右後生地３３の下端部３３Ｂ、左後生地３４の下端部３４Ｂ、および、後生地３５の下端部３５Ｂは、仙骨１０２（図８参照）と対応する部分において重ねられて基礎部２０の弱緊締力生地とともに骨盤背面上部領域３０Ｃの下部領域３０Ｄ（図４参照）を形成する。右後生地３３の上端部３３Ａおよび後生地３５の上端部３５Ａのうちの右側部分は、基礎部２０の弱緊締力生地とともに右側の端部領域３０Ｅ（図４参照）を形成する。左後生地３４の上端部３４Ａおよび後生地３５の上端部３５Ａのうちの左側部分は、基礎部２０の弱緊締力生地とともに左側の端部領域３０Ｅ（図４参照）を形成する。後生地３５の上端部３５Ａは、基礎部２０の弱緊締力生地とともに上部領域３０Ｆ（図４参照）を形成する。
【００４０】
図３および図４に示されるとおり、大臀筋サポート部４０は、着用者に身につけられた状態で着用者の仙骨１０２（図８参照）から大腿にわたって配置される。大臀筋サポート部４０は、右半身および左半身においてそれぞれ大臀筋領域４０Ａ、大腿外側面領域４０Ｃ、大腿前面領域４０Ｂ、および、大腿内側面領域４０Ｄを備える。大臀筋領域４０Ａは、大臀筋２０２（図８参照）と対応する大臀筋部分４０Ｘを含む。大腿外側面領域４０Ｃは、大腿の外側面と対応する大腿外側面部分４０Ｚを含む。大腿前面領域４０Ｂは、大腿の前面と対応する大腿前面部分４０Ｙを含む。大腿内側面領域４０Ｄは、大腿の内側面と対応する大腿内側面部分４０Ｗを含む。
【００４１】
図４に示されるとおり、大臀筋領域４０Ａは、帯形状を有する。大臀筋領域４０Ａの幅は、上方の部分が下方の部分よりも広い。大臀筋領域４０Ａは、後中心から大腿の外側面に向かうにつれて上方から下方に向かって傾斜する。図３に示されるとおり、大腿外側面領域４０Ｃは、帯形状を有する。大腿外側面領域４０Ｃの幅は、略一定である。大腿外側面領域４０Ｃは、大腿の外側面から大腿前面に向かうにつれて上方から下方に向かって傾斜する。大腿前面領域４０Ｂは、Ｖ字形状を有する。大腿内側面領域４０Ｄは、帯形状を有する。大腿内側面領域４０Ｄの幅は、略一定である。大腿内側面領域４０Ｄは、大腿の内側面から大腿前面に向かうにつれて上方から下方に向かって傾斜する。骨盤前面下部領域３０Ａおよび骨盤側面領域３０Ｂの下縁、大臀筋領域４０Ａの上縁、大腿外側面領域４０Ｃの上縁、および、大腿内側面領域４０Ｄの上縁に囲まれる部分は、大腿領域２２として構成される。
【００４２】
大腿前面領域４０Ｂは、下端部において大腿前面中央領域４０Ｅを有する。大腿前面部分４０Ｙは、大腿前面中央領域４０Ｅに含まれる。大腿前面中央領域４０Ｅは、菱形形状を有する。大腿前面中央領域４０Ｅの高さ方向の中央位置は、膝蓋骨１０４付近かつ膝蓋骨１０４よりも上方であることが好ましい。具体的には、大腿前面中央領域４０Ｅの高さ方向の中央位置は、大腿前面の高さ方向において腸骨棘の位置と膝蓋骨１０４の中央の位置との比が７：３〜９：１となる位置に配置されることが好ましい。大臀筋サポート部４０は、大臀筋部分４０Ｘ、大腿外側面部分４０Ｚ、および、大腿前面部分４０Ｙを通過し、大腿前面部分４０Ｙから大腿前面部分４０Ｙよりも上方の大腿内側面部分４０Ｗをこの順に通過する。
【００４３】
膝関節サポート部５０は、上膝蓋骨領域５０Ａおよび下膝蓋骨領域５０Ｂを有する。上膝蓋骨領域５０Ａは、大腿前面中央領域４０Ｅと連続する。上膝蓋骨領域５０Ａは、膝蓋骨１０４のうちの上方部分の外周を覆う。下膝蓋骨領域５０Ｂは、膝蓋骨１０４のうちの下方部分の外周を覆う。膝関節サポート部５０は、膝蓋骨１０４を囲う。下膝蓋骨領域５０Ｂの上縁および上膝蓋骨領域５０Ａの下縁に囲まれる部分は、膝領域２４として構成される。
【００４４】
図３および図４に示されるとおり、大臀筋サポート部４０および膝関節サポート部５０は、基礎部２０の裏側に外側面生地４１、内側面生地４２、および、膝下生地５１が取り付けられることによって構成される。外側面生地４１、内側面生地４２、および、膝下生地５１は、強緊締力生地である。外側面生地４１、内側面生地４２、および、膝下生地５１は、例えば基礎部２０に接着可能なパワーコントロール生地である。
【００４５】
外側面生地４１は、帯形状を有する。外側面生地４１の上端部４１Ａは、下部領域３０Ｄに接続される。外側面生地４１は、下部領域３０Ｄから大臀筋２０２（図８参照）に沿うように大臀筋部分４０Ｘ、大腿外側面部分４０Ｚ、および、大腿前面部分４０Ｙを通過して、膝蓋骨１０４（図９参照）の外周であって膝蓋骨１０４よりも内側と対応する部分にわたって配置される。外側面生地４１の着用者の背面と対応する部分は、大臀筋領域４０Ａを形成する。外側面生地４１の着用者の側面と対応する部分は、大腿外側面領域４０Ｃを形成する。
【００４６】
内側面生地４２は、帯形状を有する。内側面生地４２は、大腿内側面部分４０Ｗであって鼠径部に近い部分から大腿前面部分４０Ｙを通過して、膝蓋骨１０４（図９参照）の外周であって膝蓋骨１０４よりも外側と対応する部分にわたって配置される。内側面生地４２の上端部４２Ａは、大腿の内側面に位置し、他の強緊締力生地とは接続されない。内側面生地４２の大腿内側面と対応する上方部分は、大腿内側面領域４０Ｄを形成する。
【００４７】
外側面生地４１の高さ方向の中間部分および内側面生地４２の高さ方向の中間部分は、大腿前面と対応して大腿前面領域４０Ｂを形成する。外側面生地４１および内側面生地４２は、大腿の前面の膝蓋骨１０４（図９参照）付近かつ膝蓋骨１０４よりも上方において交差する。大腿前面領域４０Ｂのうちの外側面生地４１および内側面生地４２が交差する部分は、大腿前面中央領域４０Ｅを形成する。
【００４８】
外側面生地４１のうちの大腿前面中央領域４０Ｅを形成する部分よりも下方の部分、および、内側面生地４２のうちの大腿前面中央領域４０Ｅを形成する部分よりも下方の部分は、膝蓋骨１０４の上方部分の外周部分と対応して、上膝蓋骨領域５０Ａを形成する。
【００４９】
膝下生地５１は、膝蓋骨１０４（図９参照）の下端部を囲う形状を有する。膝下生地５１は、膝蓋骨１０４よりも内側において外側面生地４１の下端部４１Ｂと接続される。膝下生地５１は、膝蓋骨１０４よりも外側において内側面生地４２の下端部４２Ｂと接続される。膝下生地５１は、基礎部２０の弱緊締力生地とともに下膝蓋骨領域５０Ｂを構成する。
【００５０】
図４に示されるように、脹脛サポート部６０は、着用者に身につけられた状態で着用者の下腿側面から背面にわたって配置される。脹脛サポート部６０は、下腿背面外側領域６０Ａ、下腿背面内側領域６０Ｂ、および、下腿背面中央領域６０Ｃを備える。下腿背面外側領域６０Ａは、下腿の外側面と対応する下腿外側面部分６０Ｘを含む。下腿背面内側領域６０Ｂは、下腿の内側面と対応する下腿内側面部分６０Ｙを含む。下腿背面中央領域６０Ｃは、下腿の背面と対応する下腿背面部分６０Ｚを含む。
【００５１】
脹脛サポート部６０は、基礎部２０の裏側に外側下腿生地６１および内側下腿生地６２が取り付けられることによって構成される。外側下腿生地６１および内側下腿生地６２は、強緊締力生地である。外側下腿生地６１および内側下腿生地６２は、例えば基礎部２０に接着可能なパワーコントロール生地である。
【００５２】
外側下腿生地６１は、帯形状を有する。外側下腿生地６１の上端部６１Ａは、内側面生地４２の下端部４２Ｂに接続される。外側下腿生地６１は、下腿外側面から下腿背面に向かうにつれて上方から下方に向かって傾斜する。内側下腿生地６２は、帯形状を有する。内側下腿生地６２の上端部６２Ａは、外側面生地４１の下端部４１Ｂに接続される。内側下腿生地６２は、下腿内側面から下腿背面に向かうにつれて上方から下方に向かって傾斜する。外側下腿生地６１の下端部６１Ｂおよび内側下腿生地６２の下端部６２Ｂは、下腿背面と対応する部分において重ねられて基礎部２０の弱緊締力生地とともに下腿背面中央領域６０Ｃを形成する。下腿背面外側領域６０Ａの下縁、下腿背面内側領域６０Ｂの下縁、下腿背面中央領域６０Ｃの下縁、および、下膝蓋骨領域５０Ｂの下縁よりも下側の部分は、下腿領域２５を構成する。脹脛サポート部６０は、下腿外側面部分６０Ｘ、下腿背面部分６０Ｚ、および、下腿内側面部分６０Ｙをこの順に通過する。脹脛サポート部６０は、下腿背面部分６０Ｚが下腿外側面部分６０Ｘおよび下腿内側面部分６０Ｙよりも下方に位置する略Ｖ字形状を有する。
【００５３】
右前生地３１、左前生地３２、右後生地３３、左後生地３４、外側面生地４１、内側面生地４２、膝下生地５１、外側下腿生地６１、および、内側下腿生地６２は、強弱緊締力生地である。右前生地３１、左前生地３２、右後生地３３、左後生地３４、外側面生地４１、内側面生地４２、膝下生地５１、外側下腿生地６１、および、内側下腿生地６２の緊締力は等しい。後生地３５は、右前生地３１、左前生地３２、右後生地３３、左後生地３４、外側面生地４１、内側面生地４２、膝下生地５１、外側下腿生地６１、内側下腿生地６２よりも緊締力の弱い弱緊締力生地である。後生地３５の緊締力は、基礎部２０の弱緊締力生地の緊締力と等しい。
【００５４】
腹横筋サポート部３０の各領域の緊締力および基礎部２０の緊締力Ｆ２は以下の関係を有する。すなわち、「下部領域３０Ｄの緊締力Ｆ３Ｄ＞骨盤前面下部領域３０Ａの緊締力Ｆ３Ａ＞端部領域３０Ｅの緊締力Ｆ３Ｅ＞骨盤側面領域３０Ｂの緊締力Ｆ３Ｂ＞上部領域３０Ｆの緊締力Ｆ３Ｆ＞基礎部２０の緊締力Ｆ２」である。
【００５５】
大臀筋サポート部４０の各領域の緊締力および基礎部２０の緊締力Ｆ２は以下の関係を有する。すなわち、「大腿前面中央領域４０Ｅの緊締力Ｆ４Ｅ＞大臀筋領域４０Ａの緊締力Ｆ４Ａ＝大腿前面領域４０Ｂの大腿前面中央領域４０Ｅ以外の緊締力Ｆ４Ｂ＝大腿外側面領域４０Ｃの緊締力Ｆ４Ｃ＝大腿内側面領域４０Ｄの緊締力Ｆ４Ｄ＞基礎部２０の緊締力Ｆ２」である。
【００５６】
膝関節サポート部５０の各領域の緊締力および基礎部２０の緊締力Ｆ２は以下の関係を有する。すなわち、「上膝蓋骨領域５０Ａの緊締力Ｆ５Ａ＝下膝蓋骨領域５０Ｂの緊締力Ｆ５Ｂ＞基礎部２０の緊締力Ｆ２」である。
【００５７】
脹脛サポート部６０の各領域の緊締力および基礎部２０の緊締力Ｆ２は以下の関係を有する。すなわち、「下腿背面中央領域６０Ｃの緊締力Ｆ６Ｃ＞下腿背面外側領域６０Ａの緊締力Ｆ６Ａ＝下腿背面内側領域６０Ｂの緊締力Ｆ６Ｂ＞基礎部２０の緊締力Ｆ２」である。
【００５８】
大腿前面中央領域４０Ｅの緊締力Ｆ４Ｅ、および、下腿背面中央領域６０Ｃの緊締力Ｆ６Ｃの緊締力は、骨盤前面下部領域３０Ａの緊締力Ｆ３Ａよりも強い。すなわち、骨盤前面下部領域３０Ａの緊締力が大腿前面中央領域４０Ｅ、および、下腿背面中央領域６０Ｃの緊締力よりも弱いため、骨盤前面下部領域３０Ａによる人体への圧迫が低減され、楽な着用感が得られる。
【００５９】
大臀筋領域４０Ａの緊締力Ｆ４Ｅ、大腿前面領域４０Ｂの大腿前面中央領域４０Ｅ以外の緊締力Ｆ４Ｂ、大腿外側面領域４０Ｃの緊締力Ｆ４Ｃ、大腿内側面領域４０Ｄの緊締力Ｆ４Ｄ、下腿背面外側領域６０Ａの緊締力Ｆ６Ａ、および、下腿背面内側領域６０Ｂの緊締力Ｆ６Ｂは、骨盤側面領域３０Ｂの緊締力Ｆ３Ｂよりも強い。すなわち、骨盤側面領域３０Ｂの緊締力が他の部分の緊締力よりも弱いため、骨盤側面領域３０Ｂが大転子１０３上を通過しやすく、下肢用衣類１０を着脱しやすい。
【００６０】
下肢用衣類１０の作用および効果について説明する。
図９に示されるように、下肢用衣類１０は、腹横筋サポート部３０の恥骨部分３０Ｘが着用者の骨盤の下部を後方に押し、仙骨部分３０Ｚが着用者の骨盤の上部を前方に押す。このため、骨盤傾斜を中間位に整えて骨盤を安定させる腹横筋２０１（図７参照）の働きがサポートされる。このため、着用者の歩行を効果的にサポートすることができる。例えば、高齢者において生じやすい骨盤の後傾を中間位に整えて骨盤を効果的に安定させることができる。このため、加齢により衰えた筋肉と関節をサポートし、正しい運動方向へ身体を導くことで楽な歩き方を実現することができる。また、下肢用衣類１０を着用することで、着用者の歩行能力を維持・向上して日常の活動量の低下を防ぎ、筋力や身体機能の低下（ロコモティブシンドローム）の予防に貢献することができる。なお、図９は骨盤傾斜が中間位にある状態を示している。
【００６１】
下肢用衣類１０は、恥骨部分３０Ｘおよび仙骨部分３０Ｚの緊締力が側面部分３０Ｙの緊締力よりも強いため、着用者の骨盤をより適切に安定させることができる。また、恥骨部分３０Ｘと仙骨部分３０Ｚとは高さ方向においてずれて配置される。このため、骨盤の外周を同じ高さにおいて囲う強緊締力部と比較して、着用者の圧迫感が低減され、楽な着用感が得られる。また、他の部分と比較して前方に突出する臍部分２１Ｘおよび上胃部と対応する部分の緊締力を弱くすることができる。このため、臍部分２１Ｘおよび上胃部と対応する部分の緊締力が強い場合と比較して下肢用衣類１０の着脱の際に下肢用衣類１０が臍および上胃部を通過しやすい。このため、着用者が下肢用衣類１０を着脱しやすい。
【００６２】
下肢用衣類１０は、恥骨部分３０Ｘの緊締力が仙骨部分３０Ｚの緊締力よりも弱いため、高齢者において生じやすい骨盤の後傾を中間位に整えて骨盤を効果的に安定させることができる。
【００６３】
下肢用衣類１０によれば、大転子部分２２Ｘの緊締力が弱いため、大転子部分２２Ｘの緊締力が強い場合と比較して骨が突出している大転子部分２２Ｘへの圧迫が抑制される。
腹横筋サポート部３０は、側面部分３０Ｙの緊締力が恥骨部分３０Ｘおよび仙骨部分３０Ｚの緊締力よりも弱い。このため、側面部分３０Ｙの緊締力が恥骨部分３０Ｘおよび仙骨部分３０Ｚの緊締力と同じまたは恥骨部分３０Ｘおよび仙骨部分３０Ｚよりも強い場合と比較して下肢用衣類１０の着脱の際に下肢用衣類１０が他の部分と比較して側方に突出する大転子１０３を通過しやすい。このため、着用者が下肢用衣類１０を着脱しやすい。
【００６４】
歩行の立脚中期に、大臀筋は立脚側の下肢を支持して安定させ、遊脚側の下肢を上方に推進させる。下肢用衣類１０によれば、歩行の立脚中期に大臀筋部分４０Ｘ、大腿外側面部分４０Ｚ、および、大腿前面部分４０Ｙによって立脚側の下肢が支持されるため、大臀筋２０２の働きがサポートされる。また、歩行の蹴り出し期に、大臀筋２０２は立脚側の股関節を伸展させて地面を蹴らせ、遊脚側の下肢を前方に推進させる。下肢用衣類１０によれば、歩行の蹴り出し期に、大臀筋部分４０Ｘ、大腿外側面部分４０Ｚ、および、大腿前面部分４０Ｙによって立脚側の股関節が伸展されるため、大臀筋２０２の働きがサポートされる。このため、着用者の歩行をより効果的にサポートすることができる。また、大臀筋サポート部４０によって、遊脚側の下肢が上方および前方に出やすくなるため、歩幅が広がる効果、および、つまずきを抑制する効果が期待できる。また、立脚側の下肢が支持されるため、身体のブレが軽減し、転倒を抑制する効果が期待できる。
【００６５】
大腿前面部分４０Ｙおよび大腿内側面部分４０Ｗによって、股関節が外転および外旋する力が抑制されるため、正しい運動方向で大臀筋の働きをサポートすることができる。具体的には、歩行時に大臀筋部分４０Ｘ、大腿外側面部分４０Ｚ、および、大腿前面部分４０Ｙによって股関節が内転および内旋する力と、大腿前面部分および大腿内側面部分によって股関節が外転および外旋する力とが相殺されるため、正しい運動方向で大臀筋の働きをサポートすることができる。
【００６６】
下肢用衣類１０によれば、膝関節サポート部５０によって膝関節が支えられることによって膝関節が安定する。このため、歩行時において膝の屈曲および伸展を着用者が行いやすくなる、着用者の歩行をより効果的にサポートすることができる。
【００６７】
下肢用衣類１０によれば、脹脛サポート部６０によって膝関節を支える腓腹筋の働きがサポートされるため、膝関節を安定させることができる。このため、着用者の歩行をより効果的にサポートすることができる。
下肢用衣類１０によれば、大腿前面部分４０Ｙが大腿の前面を後方に押し、下腿背面部分６０Ｚが下腿を前方に押すことによって膝関節が前方上部および後方下部から支持される。これによって、膝関節が安定する。このため、着用者の歩行をより効果的にサポートすることができる。
【００６８】
（変形例）
上記各実施の形態に関する説明は、本発明に従う下肢用衣類が取り得る形態の例示であり、その形態を制限することを意図していない。本発明に従う下肢用衣類は、例えば以下に示される上記各実施形態の変形例、および、相互に矛盾しない少なくとも２つの変形例が組み合わせられた形態を取り得る。
【００６９】
・下部領域３０Ｄの緊締力Ｆ３Ｄを骨盤前面下部領域３０Ａの緊締力Ｆ３Ａと等しくすることもできる。この場合、例えば後生地３５を省略する。また、後生地３５を強緊締力生地に変更し、右後生地３３および左後生地３４を省略することもできる。また、下部領域３０Ｄの緊締力Ｆ３Ｄを骨盤前面下部領域３０Ａの緊締力Ｆ３Ａよりも小さくすることもできる。この場合も、腹横筋サポート部３０は骨盤傾斜を中間位に整えて骨盤を安定させることができる。
【００７０】
・腹横筋サポート部３０の骨盤側面領域３０Ｂを大転子１０３と対応する部分を通過するように配置するように変更することもできる。例えば、腹横筋サポート部３０の下縁を大転子１０３よりも下方に広げることによって腹横筋サポート部３０が大転子１０３と対応する部分を通過するように配置する。この場合、大転子部分２２Ｘの緊締力は、骨盤側面領域３０Ｂの緊締力Ｆ３Ｂと実質的に等しい。
【００７１】
・骨盤側面領域３０Ｂの幅を上方から下方に向かうにつれて狭くなるように右前生地３１および左前生地３２の形状を変更することもできる。この場合、右前生地３１および左前生地３２の交差部分である骨盤前面下部領域３０Ａが恥骨部分３０Ｘを含むように右前生地３１および左前生地３２が基礎部２０に配置される。
【００７２】
・下肢用衣類１０から大臀筋サポート部４０、膝関節サポート部５０、および、脹脛サポート部６０の少なくとも１つを省略することもできる。また、下肢用衣類１０を着用者の腹部、腰部、および、臀部のみを覆う形状に変更することもできる。この場合、膝関節サポート部５０および脹脛サポート部６０は省略される。また、大臀筋サポート部４０の少なくとも一部が省略される。
【００７３】
・腹横筋サポート部３０、大臀筋サポート部４０、膝関節サポート部５０、および、脹脛サポート部６０と対応する部分の基礎部２０を省略し、基礎部２０と腹横筋サポート部３０、大臀筋サポート部４０、膝関節サポート部５０、および、脹脛サポート部６０を形成する生地とを縫い合わせることによって下肢用衣類１０を形成することもできる。
【００７４】
・基礎部２０の裏側に強緊締力生地を縫い付けることによって腹横筋サポート部３０、大臀筋サポート部４０、膝関節サポート部５０、および、脹脛サポート部６０を形成することもできる。また、基礎部２０に樹脂等をプリントすることによって腹横筋サポート部３０、大臀筋サポート部４０、膝関節サポート部５０、および、脹脛サポート部６０の少なくとも１つを形成することもできる。また、オパール加工によって下肢用衣類１０に腹横筋サポート部３０、大臀筋サポート部４０、膝関節サポート部５０、および、脹脛サポート部６０の少なくとも１つを形成することもできる。また、編み組織を切り替えることによって、腹横筋サポート部３０、大臀筋サポート部４０、膝関節サポート部５０、および、脹脛サポート部６０の少なくとも１つの緊締力を基礎部よりも強くすることもできる。要するに、下肢用衣類１０の各領域の緊締力を異ならせることのできる構成であれば、いずれの構成を採用することもできる。
【符号の説明】
【００７５】
１０…下肢用衣類、１１…ウエスト、１２…クロッチ、１３…テープ部、２０…基礎部、２１…腹部領域、２１Ｘ…臍部分、２２…大腿領域、２２Ｘ…大転子部分、２３…背面領域、２４…膝領域、２４Ｘ…膝蓋骨部分、２５…下腿領域、３０…腹横筋サポート部、３０Ａ…骨盤前面下部領域、３０Ｂ…骨盤側面領域、３０Ｃ…骨盤背面上部領域、３０Ｄ…下部領域、３０Ｅ…端部領域、３０Ｆ…上部領域、３０Ｘ…恥骨部分、３０Ｙ…側面部分、３０Ｚ…仙骨部分、３１…右前生地、３１Ａ…上端部、３１Ｂ…下端部、３２…左前生地、３２Ａ…上端部、３２Ｂ…下端部、３３…右後生地、３３Ａ…上端部、３３Ｂ…下端部、３４…左後生地、３４Ａ…上端部、３４Ｂ…下端部、３５…後生地、３５Ａ…上端部、３５Ｂ…下端部、３５Ｃ…右端部、３５Ｄ…左端部、４０…大臀筋サポート部、４０Ａ…大臀筋領域、４０Ｂ…大腿前面領域、４０Ｃ…大腿外側面領域、４０Ｄ…大腿内側面領域、４０Ｅ…大腿前面中央領域、４０Ｘ…大臀筋部分、４０Ｙ…大腿前面部分、４０Ｚ…大腿外側面部分、４０Ｗ…大腿内側面部分、４１…外側面生地、４１Ａ…上端部、４１Ｂ…下端部、４２…内側面生地、４２Ａ…上端部、４２Ｂ…下端部、５０…膝関節サポート部、５０Ａ…上膝蓋骨領域、５０Ｂ…下膝蓋骨領域、５０Ｘ…膝蓋骨外周部分、５１…膝下生地、６０…脹脛サポート部、６０Ａ…下腿背面外側領域、６０Ｂ…下腿背面内側領域、６０Ｃ…下腿背面中央領域、６０Ｘ…下腿外側面部分、６０Ｙ…下腿内側面部分、６０Ｚ…下腿背面部分、６１…外側下腿生地、６１Ａ…上端部、６１Ｂ…下端部、６２…内側下腿生地、６２Ａ…上端部、６２Ｂ…下端部、１０１…恥骨、１０２…仙骨、１０３…大転子、１０４…膝蓋骨、２０１…腹横筋、２０２…大臀筋。
【図１】
2017222946.tif 000003
【図２】
2017222946.tif 000004
【図３】
2017222946.tif 000005
【図４】
2017222946.tif 000006
【図５】
2017222946.tif 000007
【図６】
2017222946.tif 000008
【図７】
2017222946.tif 000009
【図８】
2017222946.tif 000010
【図９】
2017222946.tif 000011
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
腹部の少なくとも一部を覆う基礎部と、
前記基礎部よりも緊締力の強い腹横筋サポート部とを備え、
前記腹横筋サポート部は、仙骨と対応する仙骨部分、腰部の側面と対応する側面部分、および、恥骨と対応する恥骨部分を通過し、
前記恥骨部分の緊締力は、前記側面部分の緊締力よりも強く、
前記仙骨部分の緊締力は、前記側面部分の緊締力よりも強い
下肢用衣類。
【請求項２】
前記恥骨部分の緊締力は、前記仙骨部分の緊締力よりも弱い
請求項１に記載の下肢用衣類。
【請求項３】
大転子と対応する大転子部分をさらに備え、
前記大転子部分の緊締力は、前記腹横筋サポート部の前記側面部分の緊締力よりも弱い
請求項１または２に記載の下肢用衣類。
【請求項４】
前記基礎部よりも緊締力の強い大臀筋サポート部を備え、
前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過する
請求項１〜３のいずれか一項に記載の下肢用衣類。
【請求項５】
前記大臀筋サポート部は、前記大腿前面部分から大腿の内側面のうちの前記大腿前面部分よりも上方と対応する大腿内側面部分を通過する
請求項４に記載の下肢用衣類。
【請求項６】
前記基礎部よりも緊締力の強い脹脛サポート部をさらに備え、
前記脹脛サポート部は、下腿の外側面と対応する下腿外側面部分、下腿の背面と対応する下腿背面部分、および、下腿の内側面と対応する下腿内側面部分を通過し、
前記大腿前面部分の緊締力および前記下腿背面部分の緊締力は、前記下腿外側面部分の緊締力および前記下腿内側面部分の緊締力よりも強い
請求項４または５に記載の下肢用衣類。
【請求項７】
前記基礎部よりも緊締力の強い脹脛サポート部をさらに備え、
前記脹脛サポート部は、下腿の外側面と対応する下腿外側面部分、下腿の背面と対応する下腿背面部分、および、下腿の内側面と対応する下腿内側面部分を通過する
請求項１〜５のいずれか一項に記載の下肢用衣類。
【請求項８】
前記基礎部よりも緊締力の強い膝関節サポート部をさらに備え、
前記膝関節サポート部は、膝蓋骨の外周を囲う
請求項１〜７のいずれか一項に記載の下肢用衣類。
【手続補正２】
【補正対象書類名】明細書
【補正対象項目名】０００５
【補正方法】変更
【補正の内容】
【０００５】
（１）本発明に従う下肢用衣類の一形態は、腹部の少なくとも一部を覆う基礎部と、前記基礎部よりも緊締力の強い腹横筋サポート部とを備え、前記腹横筋サポート部は、仙骨と対応する仙骨部分、腰部の側面と対応する側面部分、および、恥骨と対応する恥骨部分を通過し、前記恥骨部分の緊締力は、前記側面部分の緊締力よりも強く、前記仙骨部分の緊締力は、前記側面部分の緊締力よりも強い。
【手続補正３】
【補正対象書類名】明細書
【補正対象項目名】０００７
【補正方法】変更
【補正の内容】
【０００７】
上記下肢用衣類によれば、仙骨部分の緊締力が側面部分の緊締力よりも強いため、着用者の骨盤をより適切に安定させることができる。
【手続補正４】
【補正対象書類名】明細書
【補正対象項目名】０００８
【補正方法】変更
【補正の内容】
【０００８】
（２）前記下肢用衣類の一例では、前記恥骨部分の緊締力は、前記仙骨部分の緊締力よりも弱い。
上記下肢用衣類によれば、恥骨部分の緊締力が仙骨部分の緊締力よりも弱いため、着用者の骨盤をより適切に安定させることができる。
【手続補正５】
【補正対象書類名】明細書
【補正対象項目名】０００９
【補正方法】変更
【補正の内容】
【０００９】
（３）前記下肢用衣類の一例では、大転子と対応する大転子部分をさらに備え、前記大転子部分の緊締力は、前記腹横筋サポート部の前記側面部分の緊締力よりも弱い。
上記下肢用衣類によれば、大転子部分の緊締力が弱いため、骨が突出している大転子部分への圧迫が抑制される。
【手続補正６】
【補正対象書類名】明細書
【補正対象項目名】００１０
【補正方法】変更
【補正の内容】
【００１０】
（４）前記下肢用衣類の一例では、前記基礎部よりも緊締力の強い大臀筋サポート部をさらに備え、前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過する。
【手続補正７】
【補正対象書類名】明細書
【補正対象項目名】００１２
【補正方法】変更
【補正の内容】
【００１２】
（５）前記下肢用衣類の一例では、前記大臀筋サポート部は、前記大腿前面部分から大腿の内側面のうちの前記大腿前面部分よりも上方と対応する大腿内側面部分を通過する。
上記下肢用衣類によれば、大腿前面部分および大腿内側面部分によって、股関節が外転および外旋する力が抑制されるため、正しい運動方向で大臀筋の働きをサポートすることができる。
【手続補正８】
【補正対象書類名】明細書
【補正対象項目名】００１３
【補正方法】変更
【補正の内容】
【００１３】
（６）前記下肢用衣類の一例では、前記基礎部よりも緊締力の強い脹脛サポート部をさらに備え、前記脹脛サポート部は、下腿の外側面と対応する下腿外側面部分、下腿の背面と対応する下腿背面部分、および、下腿の内側面と対応する下腿内側面部分を通過し、前記大腿前面部分の緊締力および前記下腿背面部分の緊締力は、前記下腿外側面部分の緊締力および前記下腿内側面部分の緊締力よりも強い。
上記下肢用衣類によれば、大腿前面部分が大腿の前面を後方に押し、下腿背面部分が下腿を前方に押すことによって膝関節が前方上部および後方下部から支持される。これによって、膝関節が安定する。このため、着用者の歩行をより効果的にサポートすることができる。
（７）前記下肢用衣類の一例では、前記基礎部よりも緊締力の強い膝関節サポート部をさらに備え、前記膝関節サポート部は、膝蓋骨の外周を囲う。
上記下肢用衣類によれば、膝関節サポート部によって膝関節が支えられることによって膝関節が安定する。このため、膝の屈曲および伸展を着用者が行いやすくなる、着用者の歩行をより効果的にサポートすることができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
腹部の少なくとも一部を覆う基礎部と、
前記基礎部よりも緊締力の強い腹横筋サポート部とを備え、
前記腹横筋サポート部は、仙骨と対応する仙骨部分、腰部の側面と対応する側面部分、および、恥骨と対応する恥骨部分を通過し、
前記仙骨部分の緊締力は、前記側面部分の緊締力よりも強く、
前記恥骨部分の緊締力は、前記側面部分の緊締力よりも強く、前記仙骨部分の緊締力よりも弱い
下肢用衣類。
【請求項２】
前記基礎部よりも緊締力の強い大臀筋サポート部を備え、
前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過する
請求項１に記載の下肢用衣類。
【請求項３】
前記大臀筋サポート部は、前記大腿前面部分から大腿の内側面のうちの前記大腿前面部分よりも上方と対応する大腿内側面部分を通過する
請求項２に記載の下肢用衣類。
【請求項４】
前記基礎部よりも緊締力の強い脹脛サポート部をさらに備え、
前記脹脛サポート部は、下腿の外側面と対応する下腿外側面部分、下腿の背面と対応する下腿背面部分、および、下腿の内側面と対応する下腿内側面部分を通過し、
前記大臀筋サポート部の前記大腿前面部分の緊締力および前記脹脛サポート部の前記下腿背面部分の緊締力は、前記脹脛サポート部の前記下腿外側面部分の緊締力および前記脹脛サポート部の前記下腿内側面部分の緊締力よりも強い
請求項２または３に記載の下肢用衣類。
【請求項５】
前記基礎部よりも緊締力の強い脹脛サポート部をさらに備え、
前記脹脛サポート部は、下腿の外側面と対応する下腿外側面部分、下腿の背面と対応する下腿背面部分、および、下腿の内側面と対応する下腿内側面部分を通過する
請求項１〜３のいずれか一項に記載の下肢用衣類。
【請求項６】
腹部の少なくとも一部を覆う基礎部と、
前記基礎部よりも緊締力の強い腹横筋サポート部と、
前記基礎部よりも緊締力の強い大臀筋サポート部と、
前記基礎部よりも緊締力の強い脹脛サポート部とを備え、
前記腹横筋サポート部は、仙骨と対応する仙骨部分、腰部の側面と対応する側面部分、および、恥骨と対応する恥骨部分を通過し、
前記恥骨部分の緊締力は、前記側面部分の緊締力よりも強く、
前記仙骨部分の緊締力は、前記側面部分の緊締力よりも強く、
前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過し、
前記脹脛サポート部は、下腿の外側面と対応する下腿外側面部分、下腿の背面と対応する下腿背面部分、および、下腿の内側面と対応する下腿内側面部分を通過し、
前記大臀筋サポート部の前記大腿前面部分の緊締力および前記脹脛サポート部の前記下腿背面部分の緊締力は、前記脹脛サポート部の前記下腿外側面部分の緊締力および前記脹脛サポート部の前記下腿内側面部分の緊締力よりも強い
下肢用衣類。
【請求項７】
前記大臀筋サポート部は、前記大腿前面部分から大腿の内側面のうちの前記大腿前面部分よりも上方と対応する大腿内側面部分を通過する
請求項６に記載の下肢用衣類。
【請求項８】
大転子と対応する大転子部分をさらに備え、
前記大転子部分の緊締力は、前記腹横筋サポート部の前記側面部分の緊締力よりも弱い
請求項１〜７のいずれか一項に記載の下肢用衣類。
【請求項９】
前記基礎部よりも緊締力の強い膝関節サポート部をさらに備え、
前記膝関節サポート部は、膝蓋骨の外周を囲う
請求項１〜８のいずれか一項に記載の下肢用衣類。
【手続補正２】
【補正対象書類名】明細書
【補正対象項目名】０００５
【補正方法】変更
【補正の内容】
【０００５】
（１）本発明に従う下肢用衣類の一形態は、腹部の少なくとも一部を覆う基礎部と、前記基礎部よりも緊締力の強い腹横筋サポート部とを備え、前記腹横筋サポート部は、仙骨と対応する仙骨部分、腰部の側面と対応する側面部分、および、恥骨と対応する恥骨部分を通過し、前記仙骨部分の緊締力は、前記側面部分の緊締力よりも強く、前記恥骨部分の緊締力は、前記側面部分の緊締力よりも強く、前記仙骨部分の緊締力よりも弱い。
【手続補正３】
【補正対象書類名】明細書
【補正対象項目名】０００８
【補正方法】変更
【補正の内容】
【０００８】
上記下肢用衣類によれば、恥骨部分の緊締力が仙骨部分の緊締力よりも弱いため、着用者の骨盤をより適切に安定させることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
（２）前記下肢用衣類の一例では、前記基礎部よりも緊締力の強い大臀筋サポート部をさらに備え、前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過する。
【手続補正６】
【補正対象書類名】明細書
【補正対象項目名】００１２
【補正方法】変更
【補正の内容】
【００１２】
（３）前記下肢用衣類の一例では、前記大臀筋サポート部は、前記大腿前面部分から大腿の内側面のうちの前記大腿前面部分よりも上方と対応する大腿内側面部分を通過する。
上記下肢用衣類によれば、大腿前面部分および大腿内側面部分によって、股関節が外転および外旋する力が抑制されるため、正しい運動方向で大臀筋の働きをサポートすることができる。
【手続補正７】
【補正対象書類名】明細書
【補正対象項目名】００１３
【補正方法】変更
【補正の内容】
【００１３】
（４）前記下肢用衣類の一例では、前記基礎部よりも緊締力の強い脹脛サポート部をさらに備え、前記脹脛サポート部は、下腿の外側面と対応する下腿外側面部分、下腿の背面と対応する下腿背面部分、および、下腿の内側面と対応する下腿内側面部分を通過し、前記大腿前面部分の緊締力および前記下腿背面部分の緊締力は、前記下腿外側面部分の緊締力および前記下腿内側面部分の緊締力よりも強い。
上記下肢用衣類によれば、大腿前面部分が大腿の前面を後方に押し、下腿背面部分が下腿を前方に押すことによって膝関節が前方上部および後方下部から支持される。これによって、膝関節が安定する。このため、着用者の歩行をより効果的にサポートすることができる。
（５）前記下肢用衣類の一例では、前記基礎部よりも緊締力の強い膝関節サポート部をさらに備え、前記膝関節サポート部は、膝蓋骨の外周を囲う。
上記下肢用衣類によれば、膝関節サポート部によって膝関節が支えられることによって膝関節が安定する。このため、膝の屈曲および伸展を着用者が行いやすくなる、着用者の歩行をより効果的にサポートすることができる。
【手続補正８】
【補正対象書類名】明細書
【補正対象項目名】００１４
【補正方法】変更
【補正の内容】
【００１４】
（６）本発明に従う下肢用衣類の一形態は、腹部の少なくとも一部を覆う基礎部と、前記基礎部よりも緊締力の強い腹横筋サポート部と、前記基礎部よりも緊締力の強い大臀筋サポート部と、前記基礎部よりも緊締力の強い脹脛サポート部とを備え、前記腹横筋サポート部は、仙骨と対応する仙骨部分、腰部の側面と対応する側面部分、および、恥骨と対応する恥骨部分を通過し、前記恥骨部分の緊締力は、前記側面部分の緊締力よりも強く、前記仙骨部分の緊締力は、前記側面部分の緊締力よりも強く、前記大臀筋サポート部は、前記腹横筋サポート部の前記仙骨部分と連続し、大臀筋と対応する大臀筋部分、大腿の外側面のうちの大転子よりも下方と対応する大腿外側面部分、および、大腿前面のうちの膝蓋骨よりも上方と対応する大腿前面部分を通過し、前記脹脛サポート部は、下腿の外側面と対応する下腿外側面部分、下腿の背面と対応する下腿背面部分、および、下腿の内側面と対応する下腿内側面部分を通過し、前記大臀筋サポート部の前記大腿前面部分の緊締力および前記脹脛サポート部の前記下腿背面部分の緊締力は、前記脹脛サポート部の前記下腿外側面部分の緊締力および前記脹脛サポート部の前記下腿内側面部分の緊締力よりも強い。
上記下肢用衣類によれば、骨盤傾斜を中間位に整えて骨盤を安定させる腹横筋の働きがサポートされる。このため、着用者の歩行を効果的にサポートすることができる。また、仙骨部分の緊締力が側面部分の緊締力よりも強いため、着用者の骨盤をより適切に安定させることができる。また、歩行の蹴り出し期に、大臀筋部分、大腿外側面部分、および、大腿前面部分によって立脚側の股関節が伸展されるため、大臀筋の働きがサポートされる。このため、着用者の歩行をより効果的にサポートすることができる。また、大腿前面部分が大腿の前面を後方に押し、下腿背面部分が下腿を前方に押すことによって膝関節が前方上部および後方下部から支持される。これによって、膝関節が安定する。このため、着用者の歩行をより効果的にサポートすることができる。
（７）前記下肢用衣類の一例では、前記大臀筋サポート部は、前記大腿前面部分から大腿の内側面のうちの前記大腿前面部分よりも上方と対応する大腿内側面部分を通過する。
上記下肢用衣類によれば、大腿前面部分および大腿内側面部分によって、股関節が外転および外旋する力が抑制されるため、正しい運動方向で大臀筋の働きをサポートすることができる。
（８）前記下肢用衣類の一例では、大転子と対応する大転子部分をさらに備え、前記大転子部分の緊締力は、前記腹横筋サポート部の前記側面部分の緊締力よりも弱い。
上記下肢用衣類によれば、大転子部分の緊締力が弱いため、骨が突出している大転子部分への圧迫が抑制される。
（９）前記下肢用衣類の一例では、前記基礎部よりも緊締力の強い脹脛サポート部を備え、前記脹脛サポート部は、下腿の外側面と対応する下腿外側面部分、下腿の背面と対応する下腿背面部分、および、下腿の内側面と対応する下腿内側面部分を通過する。